(57)【要約】【課題】  集塵装置の捕塵率が高く清掃が容易な電気掃除機を提供する。【解決手段】電動送風機６を内装する本体部２にサイクロン式の集塵装置２０を設けた電気掃除機１において、集塵装置２０は、旋回気流が形成される筒状の集塵容器２２と、集塵容器２２の中心部に配されて周面に気流の流出口５１ａが形成されるとともに下端が閉塞される内筒５１と、集塵容器２２の底面に対して隙間を有して内筒５１の底面５１ｂから下方に突出するとともに環状に形成された径の異なる複数のリブ５４、５５とを備えた。【選択図】  図４
2014076395.tif 000002
【特許請求の範囲】
【請求項１】
電動送風機を内装する本体部にサイクロン式の集塵装置を設けた電気掃除機において、前記集塵装置は、旋回気流が形成される筒状の集塵容器と、前記集塵容器の中心部に配されて周面に気流の流出口が形成されるとともに下端が閉塞される内筒と、前記内筒の底面から下方に突出して前記集塵容器の底面から離れて配されるとともに環状に形成された径の異なる複数のリブとを備えたことを特徴とする電気掃除機。
【請求項２】
前記リブが前記内筒と同心に配され、外周側の前記リブの径が前記内筒の径よりも大きいことを特徴とする請求項１に記載の電気掃除機。
【請求項３】
外周側の前記リブが内周側の前記リブよりも前記内筒の底面からの突出量が大きいことを特徴とする請求項２に記載の電気掃除機。
【請求項４】
前記内筒と前記リブと前記集塵容器の上面を覆う遮蔽部とを一体に形成して前記集塵容器に対して着脱自在の内筒部を備え、前記内筒部が前記集塵容器の底面から離れて配されることを特徴とする請求項１〜請求項３のいずれかに記載の電気掃除機。
【発明の詳細な説明】
【技術分野】
【０００１】
本発明は、サイクロン式の集塵装置を備えた電気掃除機に関する。
【背景技術】
【０００２】
従来の電気掃除機は特許文献１に開示されている。この電気掃除機は電動送風機を内装した本体部に着脱自在の集塵装置が設けられる。集塵装置は旋回気流が形成される筒状の集塵容器を有し、集塵容器の内部には内筒が同心に配される。内筒の周面には径方向に突出する複数のリブが放射状に形成される。
【０００３】
上記構成の電気掃除機において、電動送風機が駆動されると被掃除面上の塵埃が吸引され、塵埃を含む気流が集塵容器に流入して集塵容器内に旋回気流を形成する。気流に含まれる比較的大きな塵埃は旋回によってリブに衝突するとともに、旋回時の遠心力により集塵容器の内周面に衝突する。これにより、気流から塵埃が脱落して集塵容器内に堆積する。放射状のリブを設けることにより気流に含まれる塵埃が脱落しやすくなり、塵埃の捕塵率を高くすることができる。
【０００４】
大きな塵埃が除去された気流は集塵容器から流出して内筒を流通し、細かい塵埃が旋回時の遠心力により脱落する。内筒を流通する気流に含まれる細かい塵埃をフィルタにより捕集してもよい。そして、塵埃を除去された気流が電動送風機を介して排気される。
【先行技術文献】
【特許文献】
【０００５】
【特許文献１】特許第４３１６８０８号公報（第４頁−第７頁、第２図）
【発明の概要】
【発明が解決しようとする課題】
【０００６】
しかしながら、上記従来の電気掃除機によると、リブが内筒の周面に放射状に形成されるため、リブに塵埃が高速で衝突して固着し易くなる。このため、リブを清掃する際に固着した塵埃の除去が困難になる。また、各リブの径方向に拭き取り等を行うためリブの清掃作業が煩雑になる。従って、集塵容器内の清掃を容易に行うことができない問題があった。
【０００７】
本発明は、集塵装置の捕塵率が高く清掃が容易な電気掃除機を提供することを目的とする。
【課題を解決するための手段】
【０００８】
上記目的を達成するために本発明は、電動送風機を内装する本体部にサイクロン式の集塵装置を設けた電気掃除機において、前記集塵装置は、旋回気流が形成される筒状の集塵容器と、前記集塵容器の中心部に配されて周面に気流の流出口が形成されるとともに下端が閉塞される内筒と、前記内筒の底面から下方に突出して前記集塵容器の底面から離れて配されるとともに環状に形成された径の異なる複数のリブとを備えたことを特徴としている。
【０００９】
この構成によると、電気掃除機により掃除を行うと塵埃を含む気流が集塵装置の集塵容器内に流入し、集塵容器内に旋回気流が形成される。集塵容器内の旋回気流は遠心力により集塵容器の内周面及び複数のリブの内周面に当接し、気流に含まれる塵埃が分離して集塵容器内に脱落する。塵埃が脱落した気流は流出口を介して内筒を流通し、本体部外に排気される。
【００１０】
また本発明は、上記構成の電気掃除機において、前記リブが前記内筒と同心に配され、外周側の前記リブの径が前記内筒の径よりも大きいことを特徴としている。この構成によると、外周側のリブの径が内筒の径よりも大きいため複数のリブが集塵容器の外周側に寄せて配置される。集塵容器内の気流は遠心力によって外周側に偏って旋回するため、外周側に寄せて配置されるリブと接触する旋回気流が増加する。
【００１１】
また本発明は、上記構成の電気掃除機において、外周側の前記リブが内周側の前記リブよりも前記内筒の底面からの突出量が大きいことを特徴としている。この構成によると、流通量の多い外周側の気流が突出量の大きいリブに当接して塵埃が脱落する。また、内周側のリブの突出量が小さいためリブの内側に堆積した塵埃を容易に除去することができる。
【００１２】
また本発明は、上記構成の電気掃除機において、前記内筒と前記リブと前記集塵容器の上面を覆う遮蔽部とを一体に形成して前記集塵容器に対して着脱自在の内筒部を備え、前記内筒部が前記集塵容器の底面から離れて配されることを特徴としている。この構成によると、内筒部を集塵容器から上方に脱着して集塵容器内の塵埃が除去される。内筒部が集塵容器の底面から離れて配されるため内筒の下方に大きな空間が形成される。
【発明の効果】
【００１３】
本発明によると、内筒の底面から下方に突出して集塵容器の底面から離れて配置される環状の複数のリブを設けたので、従来例のような放射状のリブがないため内筒及び環状のリブに付着した塵埃を容易に清掃することができる。また、径の異なるリブが複数設けられるため、塵埃の捕塵率を高く維持することができる。
【図面の簡単な説明】
【００１４】
【図１】本発明の第１実施形態の電気掃除機を示す斜視図。
【図２】本発明の第１実施形態の電気掃除機の本体部を示す側面断面図。
【図３】図２のＡ−Ａ断面図
【図４】本発明の第１実施形態の電気掃除機の集塵装置の下部を示す側面断面図。
【図５】本発明の第２実施形態の電気掃除機の集塵装置の下部を示す側面断面図。
【図６】本発明の第３実施形態の電気掃除機の集塵装置の下部を示す側面断面図。
【発明を実施するための形態】
【００１５】
以下に本発明の実施形態を図面を参照して説明する。図１は第１実施形態の電気掃除機を示す斜視図である。電気掃除機１は電動送風機６（図２参照）を内装する本体部２に可撓性の接続ホース３を介して吸込口体５が連結されたキャニスター型に構成される。本体部２の背面には引き出し及び収納が可能な電源コード８が設けられる。電源コード８は電源プラグ９を先端に有し、商用電源のコンセントに差し込んで本体部２に電力供給される。
【００１６】
接続ホース３は本体部２の前面に接続され、接続ホース３の先端には延長パイプ４が接続される。延長パイプ４の先端には床面に対峙する吸込口（不図示）を有した吸込口体５が設けられる。また、延長パイプ４には把持部１３及び操作部１４が設けられる。使用者により操作部１４を操作して掃除運転が実行され、把持部１３を把持して吸込口体５を移動する。
【００１７】
図２は本体部２の側面断面図を示している。また、図３は図２のＡ−Ａ断面図を示している。本体部２は後部に電動送風機６が配され、電動送風機６の後方には排気口７が開口する。電動送風機６の前方には集塵室１９が設けられ、集塵室１９内には着脱自在の集塵装置２０が配される。
【００１８】
集塵装置２０の前部には接続ホース３（図１参照）からの気流が流入する流入口２１が設けられる。集塵装置２０の上部背面には塵埃を除去した気流が流出する集塵装置排気口２４が設けられる。集塵装置排気口２４と電動送風機６との間はダクト１５により連結される。
【００１９】
集塵装置２０は塵埃を集塵する集塵容器２２を有し、集塵室１９を覆って本体部２の上面を形成するカバー部４０が上部に配される。カバー部４０の上面にはハンドル４１が設けられ、ハンドル４１を把持して集塵装置２０を本体部２に対して着脱することができる。
【００２０】
カバー部４０の下方にはフィルタ３７を保持するフィルタ保持部３０が係着される。フィルタ保持部３０の下方には集塵容器２２内に配される内筒５１を有した内筒部５０が係着される。内筒部５０は集塵容器２２に対して着脱自在に形成され、内筒部５０を取り外して集塵容器２２内の塵埃を廃棄することができる。
【００２１】
図４は集塵装置２０の下部を示す側面断面図である。集塵容器２２は上面を開口した断面略円形の有底筒状に形成され、流入口２１は集塵容器２２の前部から周接線方向に気流を流入させるように設けられる。これにより、集塵容器２２内に旋回気流が形成される。
【００２２】
内筒部５０は集塵容器２２の中心部に同軸に配される内筒５１を有し、内筒５１の上端には集塵容器２２の上面を覆う遮蔽部５２が設けられる。内筒５１の周面には気流の流出口５１ａが開口し、流出口５１ａにはフィルタ（不図示）が設けられる。流出口５１ａを介して集塵容器２２から流出する気流は内筒５１を上昇し、フィルタ３７（図２参照）に導かれる。
【００２３】
内筒５１の底面５１ｂは流出口５１ａの形成部分よりも径大の鍔状に形成され、底面５１ｂから下方に突出する筒状の柱状部５３が形成される。柱状部５３は集塵容器２２の底面２２ａに接して配置され、柱状部５３の周囲に気流が旋回する。
【００２４】
柱状部５３の外周側には内筒５１の底面５１ｂから内筒５１と同心に下方に突出する複数のリブ５４、５５が二重に設けられる。リブ５４、５５は径の異なる環状に形成され、集塵容器２２の底面２２ａから離れて配置される。外周側のリブ５４の径は内筒５１の径よりも大きくなっている。遮蔽部５２、内筒５１、柱状部５３及びリブ５４、５５は樹脂成形品により一体に形成される。
【００２５】
また、集塵容器２２の底面２２ａには上方に突出して径方向に延びる突出部５７が柱状部５３の外側に設けられる。
【００２６】
上記構成の電気掃除機１において、電動送風機６の駆動によって吸込口体５から被掃除面の塵埃が吸い込まれ、延長パイプ４及び接続ホース３を流通する。塵埃を含む気流は流入口２１から矢印Ｂ１（図２、図３参照）に示すように集塵装置２０の集塵容器２２に流入する。集塵容器２２に流入した気流は矢印Ｂ２（図３参照）に示すように集塵容器２２内を旋回する。
【００２７】
旋回気流は遠心力によって集塵容器２２の内周面及びリブ５４、５５の内周面に当接し、気流に含まれる比較的大きな塵埃が分離して集塵容器２２内に脱落する。また、突出部５７は旋回気流に含まれる毛髪等を引っかけて脱落し易くする。
【００２８】
旋回気流が当接するリブ５４、５５が複数設けられるため気流が当接する面積が大きく、塵埃の捕塵率を高く維持することができる。また、外周側のリブ５４の径が内筒５１の径よりも大きいため、リブ５４、５５を集塵容器２２の外周側に寄せて配置することができる。集塵容器２２内の気流は遠心力によって外周側に偏って旋回するため、外周側に寄せて配置されるリブ５４、５５と接触する旋回気流が増加する。従って、塵埃の捕塵率をより高くすることができる。
【００２９】
大きな塵埃が除去された気流は流出口５１ａから内筒５１内に流出して上昇し、フィルタ３７により細かい塵埃が捕集される。フィルタ３７を通過した気流は集塵装置排気口２４を介して集塵装置２０から流出する。集塵装置２０から流出した気流はダクト１５を流通し、電動送風機６を介して排気口７から排気される。
【００３０】
掃除が終了すると集塵装置２０を集塵室１９から脱着し、集塵容器２２から内筒部５０をカバー部４０と一体に取り外して集塵容器２２内に堆積した塵埃が廃棄される。また、集塵容器２２の内面、内筒５１、リブ５４、５５に付着した塵埃を水洗いや拭き取りにより除去して清掃が行われる。この時、リブ５４、５５が環状に形成されるため容易に拭き取り等を行うことができる。
【００３１】
本実施形態によると、内筒５１の底面５１ｂから下方に突出して集塵容器２２の底面２２ａから離れて配置される環状の複数のリブ５４、５５を設けたので、従来例のような放射状のリブがないため内筒５１及び環状のリブ５４、５５に付着した塵埃を容易に清掃することができる。また、径の異なるリブ５４、５５が複数設けられるため、塵埃の捕塵率を高く維持することができる。
【００３２】
また、リブ５４、５５が内筒５１と同心に配され、外周側のリブ５４の径が内筒５１の径よりも大きいので、リブ５４、５５を集塵容器２２の外周側に寄せて配置することができる。集塵容器２２内の気流は遠心力によって外周側に偏って旋回するため、外周側に寄せて配置されたリブ５４、５５と接触する旋回気流が増加する。従って、塵埃の捕塵率をより高くすることができる。
【００３３】
尚、リブ５４、５５を内筒５１と同心に配置していなくてもよいが、同心に配置することによって気流を円滑に旋回させることができる。
【００３４】
次に、図５は第２実施形態の電気掃除機１の集塵容器２２の下部を示す側面断面図である。説明の便宜上、前述の図１〜図４に示す第１実施形態と同様の部分には同一の符号を付している。本実施形態は第１実施形態と同様のリブ５４、５５の内周側にリブ５６が設けられ、環状のリブ５４、５５、５６が三重に配される。その他の部分は第１実施形態と同様である。
【００３５】
リブ５６はリブ５４、５５と同心に柱状部５３の外周側に配され、リブ５５よりも小径の環状に形成される。また、内周側のリブ５６よりも外周側に配されるリブ５４、５５の方が内筒２１の底面２１ａからの突出量が大きくなっている。
【００３６】
集塵容器２２に流入する旋回気流は遠心力によって集塵容器２２の内周面及びリブ５４、５５、５６の内周面に当接する。これにより、気流に含まれる比較的大きな塵埃が分離して集塵容器２２内に脱落する。第１実施形態に比して旋回気流が当接するリブ５６が追加されるため、塵埃の捕塵率をより高く維持することができる。
【００３７】
また、遠心力によって流通量の多い外周側の気流が突出量の大きいリブ５４、５５に当接して塵埃が脱落する。また、内周側のリブ５６の突出量が小さいため、清掃時にリブ５５の内側に容易の清掃具を侵入させることができる。このため、リブ５５の内側に堆積した塵埃を容易に除去することができる。
【００３８】
本実施形態によると、第１実施形態と同様に、径の異なる環状の複数のリブ５４、５５、５６によって集塵容器２２内を容易に清掃できるとともに塵埃の捕塵率を高く維持することができる。
【００３９】
また、外周側に配されるリブ５４、５５が内周側のリブ５６よりも内筒２１の底面２１ａからの突出量が大きいので、リブ５５の内側に堆積した塵埃を容易に除去することができる。
【００４０】
次に、図６は第３実施形態の電気掃除機１の集塵容器２２の下部を示す側面断面図である。説明の便宜上、前述の図１〜図４に示す第１実施形態と同様の部分には同一の符号を付している。本実施形態は第１実施形態に対して柱状部５３（図４参照）が省かれている。その他の部分は第１実施形態と同様である。
【００４１】
本実施形態によると、第１実施形態と同様に、径の異なる環状の複数のリブ５４、５５によって集塵容器２２内を容易に清掃できるとともに塵埃の捕塵率を高く維持することができる。
【００４２】
また、柱状部５３（図４参照）が設けられないため、集塵容器２２に対して着脱自在の内筒部５０が集塵容器２２の底面２２ａから離れて配される。これにより、内筒５１の下方に大きな空間が形成され、集塵容器２２に堆積する塵埃の量を増加させることができる。従って、塵埃を廃棄する頻度を減少させることができ、電気掃除機１の利便性を向上することができる。
【００４３】
第１〜第３実施形態において、キャニスター型の電気掃除機について説明しているが、集塵装置を配した本体部の下方に吸込口体が連結された縦型の電気掃除機であってもよい。
【産業上の利用可能性】
【００４４】
本発明によると、サイクロン式の集塵装置を備えた電気掃除機に利用することができる。
【符号の説明】
【００４５】
１    電気掃除機
２    本体部
３    接続ホース
４    延長パイプ
５    吸込口体
６    電動送風機
７    排気口
１３    把持部
１４    操作部
１５    ダクト
１９    集塵室
２０    集塵装置
２１    流入口
２２    集塵容器
２４    集塵装置排気口
３０    フィルタ保持部
３７    フィルタ
４０    カバー部
４１    ハンドル
５０    内筒部
５１    内筒
５１ａ  流出口
５１ｂ  底面
５２    遮蔽部
５３    柱状部
５４、５５、５６  リブ
５７    突出部
【図１】
2014076395.tif 000003
【図２】
2014076395.tif 000004
【図３】
2014076395.tif 000005
【図４】
2014076395.tif 000006
【図５】
2014076395.tif 000007
【図６】
2014076395.tif 000008
【手続補正書】
【提出日】平成26年1月24日(2014.1.24)
【手続補正１】
【補正対象書類名】明細書
【補正対象項目名】０００８
【補正方法】変更
【補正の内容】
【０００８】
上記目的を達成するために本発明は、電動送風機を内装する本体部にサイクロン式の集塵装置を設けた電気掃除機において、前記集塵容器内に配されて周面に気流の流出口が形成された内筒と、前記内筒の下方に突出して形成され、前記集塵容器の底面から離れて配される外周側リブおよび内周側リブとを備えてなり、
前記内筒には、前記外周側リブおよび内周側リブの上部に前記集塵容器の内周面へと水平方向へ延びる鍔状の鍔部、および下方に突出し前記集塵容器の底面に接する柱状部を設けたことを特徴としている。
【手続補正２】
【補正対象書類名】明細書
【補正対象項目名】０００９
【補正方法】変更
【補正の内容】
【０００９】
この構成によると、電気掃除機により掃除を行うと塵埃を含む気流が集塵装置の集塵容器内に流入し、集塵容器内に旋回気流が形成される。集塵容器内の旋回気流は遠心力により集塵容器の内周面と外周側リブおよび内周側リブの内周面に当接し、気流に含まれる塵埃が分離して集塵容器内に脱落する。塵埃が脱落した気流は流出口を介して内筒を流通し、本体部外に排気される。
【手続補正３】
【補正対象書類名】明細書
【補正対象項目名】００１０
【補正方法】変更
【補正の内容】
【００１０】
また本発明は、上記構成の電気掃除機において、前記外周側リブの径が前記内筒の径よりも大きい。この構成によると、外周側リブの径が内筒の径よりも大きいためリブが集塵容器の外周側に寄せて配置される。これにより、集塵容器内の気流は遠心力によって外周側に偏って旋回するため、リブと接触する旋回気流が増加する。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
本発明によると、内筒の下方に突出して形成され、集塵容器の底面から離れて配される外周側リブおよび内周側リブを設けたので、従来例のような放射状のリブがないため内筒及びリブに付着した塵埃を容易に清掃することができる。また、塵埃の捕塵率を高く維持することができる。
【手続補正７】
【補正対象書類名】特許請求の範囲
【補正対象項目名】全文
【補正方法】変更
【補正の内容】
【特許請求の範囲】
【請求項１】
電動送風機を内装する本体部にサイクロン式の集塵装置を設けた電気掃除機において、
前記集塵装置は、旋回気流が形成される筒状の集塵容器と、
前記集塵容器内に配されて周面に気流の流出口が形成された内筒と、
前記内筒の下方に突出して形成され、前記集塵容器の底面から離れて配される外周側リブおよび内周側リブとを備えてなり、
前記内筒には、前記外周側リブおよび内周側リブの上部に前記集塵容器の内周面へ水平方向に延びる鍔状の鍔部、および下方に突出し前記集塵容器の底面に接する柱状部を設けたことを特徴とする電気掃除機。
【請求項２】
前記外周側リブは、前記内筒の径より大きく、
前記内周側リブは、前記内筒の径と同等とした請求項１記載の電気掃除機。
【請求項３】
前記外周側リブは、前記内筒の径より大きく、
前記内周側リブは、前記内筒の径より小さくした請求項１記載の電気掃除機。